(57)【要約】【課題】本発明は、用紙を除湿する除湿発熱体による火傷等を回避して安全を確保する画像形成装置に関する。【解決手段】複合装置１は、複数枚の用紙を収納可能で引き出し可能な給紙カセット６の下方に除湿ヒータブラケット３に取り付けられて配設されている除湿ヒータ４に通電して、当該給紙カセット６内の用紙を除湿する際に、アーム部５ｂが、給紙カセット６が引き出されたことを検出すると、給電遮断部５のスイッチ５ａがオフして、除湿ヒータ４への通電を遮断する。したがって、ユーザが火傷等を負うことを未然に防止することができ、安全性を向上させることができる。【選択図】          図１
2006290605.tif 000002
【特許請求の範囲】
【請求項１】
複数枚の用紙を収納可能で引き出し可能な給紙カセットの下方にブラケットに取り付けられて配設された除湿発熱体に通電して、当該給紙カセット内の用紙を除湿する画像形成装置において、前記給紙カセットの引き出されたことを検出する引出検出手段と、当該引出検出手段の検出結果に基づいて前記除湿発熱体への通電を制御する通電制御手段と、を備え、前記引出検出手段が前記給紙カセットが引き出されたことを検出すると、前記通電制御手段が、前記除湿発熱体への通電を遮断することを特徴とする画像形成装置。
【請求項２】
複数枚の用紙を収納可能で引き出し可能な給紙カセットの下方にブラケットに取り付けられて配設された除湿発熱体に通電して、当該給紙カセット内の用紙を除湿する画像形成装置において、前記給紙カセット内の用紙の有無を検出する用紙検出手段と、当該用紙検出手段の検出結果に基づいて前記除湿発熱体への通電を制御する通電制御手段と、を備え、前記用紙検出手段が前記給紙カセット内に用紙がないことを検出すると、前記通電制御手段が、前記除湿発熱体への通電を遮断することを特徴とする画像形成装置。
【請求項３】
複数枚の用紙を収納可能で引き出し可能な給紙カセットの下方にブラケットに取り付けられて配設された除湿発熱体に通電して、当該給紙カセット内の用紙を除湿する画像形成装置において、前記給紙カセットの近くの用紙搬送路上での用紙のジャムの有無を検出するジャム検出手段と、当該ジャム検出手段の検出結果に基づいて前記除湿発熱体への通電を制御する通電制御手段と、を備え、前記ジャム検出手段が前記用紙のジャムの発生を検出すると、前記通電制御手段が、前記除湿発熱体への通電を遮断することを特徴とする画像形成装置。
【請求項４】
前記画像形成装置は、前記除湿発熱体の温度を検出する温度検出手段と、前記給紙カセットの引き出しを少なくとも全開の状態に至るまでの途中で阻止する阻止動作を行う引出阻止手段と、当該引出阻止手段の阻止動作を制御する引出制御手段と、をさらに備え、前記引出制御手段は、前記温度検出手段の検出温度が所定の閾値温度を超えていると、前記引出阻止手段に前記阻止動作を行わせることを特徴とする請求項１記載の画像形成装置。
【請求項５】
前記画像形成装置は、所定の音声を外部出力する音声出力手段と、当該音声出力手段による音声出力を制御する音声出力制御手段と、をさらに備え、当該音声出力制御手段は、前記引出検出手段が前記給紙カセットが引き出されたことを検出し、かつ、前記温度検出手段の検出温度が前記所定の閾値温度を超えている間のみ、前記音声出力手段を連続駆動させて連続して音声を出力させることを特徴とする請求項４記載の画像形成装置。
【発明の詳細な説明】
【技術分野】
【０００１】
本発明は、画像形成装置に関し、詳細には、用紙を除湿する除湿発熱体での火傷等を回避して安全を確保する画像形成装置に関する。
【背景技術】
【０００２】
複写装置、プリンタ装置及びファクシミリ装置等の画像形成装置においては、一般的に、給紙部に複数段の給紙トレイを備えているが、この給紙トレイ内に搭載した用紙が水分を含んでいると、感光体ドラムからのトナー画像を用紙に転写する際に、転写不良が発生したり、用紙がカールしてジャムが発生するという不具合が生じる。
【０００３】
そこで、従来の画像形成装置においては、除湿ヒータ等の発熱体を設けて、当該発熱体で筐体内を加熱することで、用紙を除湿して、転写不良や用紙の搬送不良の発生を防止している。
【０００４】
本出願人は、先に、給紙トレイ内の転写紙を除湿する除湿ヒータへの通電を、画像形成装置内の給紙トレイ部以外の温度制御で用いられている温度検知素子の出力条件から制御する画像形成装置を提案している（特許文献１参照）。
【０００５】
そして、このような除湿ヒータは、一般的に、ブラケット付きの除湿ヒータが用いられ、給紙トレイの下側の位置で、除湿ヒータをブラケットの下側に固定した状態で配設されることが多い。
【０００６】
【特許文献１】特開平８−２２５１６９号公報
【発明の開示】
【発明が解決しようとする課題】
【０００７】
しかしながら、上記従来技術にあっては、画像形成装置の操作を行う操作者（以下、ユーザという。）の危険を防止する上で、改良の必要があった。
【０００８】
すなわち、上記従来技術にあっては、除湿ヒータのブラケットが給紙カセットの下側に配置されているため、ユーザが火傷するおそれがあるが、この点について考慮されておらず、改良の必要があった。すなわち、従来、除湿ヒータのブラケットが給紙カセットの下側に配置されているため、給紙カセットがセットされているときには、ユーザが除湿ヒータに接触することはなく、また、通常、除湿ヒータは給紙カセットを引き出しても給電が遮断されないため、除湿ヒータを取り付けたブラケットの上側に、高温注意等の危険表示デカルを貼ることで対応することが多い。ところが、給紙カセットを引き出した状態においては、除湿ヒータのブラケットは、ユーザには見辛い位置にあるため、ユーザが危険表示デカルに気付かず除湿ヒータのブラケットに接触して火傷してしまうおそれがあるが、除湿ヒータへの通電制御において、この点について考慮されておらず、改良の必要があった。
【０００９】
そこで、本発明は、火傷に至る温度に加熱されている除湿発熱体のブラケットにユーザが接触することを未然に防止して、ユーザが火傷等を負うことを未然に防止し、安全な画像形成装置を提供することを提供することを目的としている。
【課題を解決するための手段】
【００１０】
請求項１記載の発明の画像形成装置は、複数枚の用紙を収納可能で引き出し可能な給紙カセットの下方にブラケットに取り付けられて配設された除湿発熱体に通電して、当該給紙カセット内の用紙を除湿する画像形成装置において、前記給紙カセットの引き出されたことを検出する引出検出手段と、当該引出検出手段の検出結果に基づいて前記除湿発熱体への通電を制御する通電制御手段と、を備え、前記引出検出手段が前記給紙カセットが引き出されたことを検出すると、前記通電制御手段が、前記除湿発熱体への通電を遮断することにより、上記目的を達成している。
【００１１】
請求項２記載の発明の画像形成装置は、複数枚の用紙を収納可能で引き出し可能な給紙カセットの下方にブラケットに取り付けられて配設された除湿発熱体に通電して、当該給紙カセット内の用紙を除湿する画像形成装置において、前記給紙カセット内の用紙の有無を検出する用紙検出手段と、当該用紙検出手段の検出結果に基づいて前記除湿発熱体への通電を制御する通電制御手段と、を備え、前記用紙検出手段が前記給紙カセット内に用紙がないことを検出すると、前記通電制御手段が、前記除湿発熱体への通電を遮断することにより、上記目的を達成している。
【００１２】
請求項３記載の発明の画像形成装置は、複数枚の用紙を収納可能で引き出し可能な給紙カセットの下方にブラケットに取り付けられて配設された除湿発熱体に通電して、当該給紙カセット内の用紙を除湿する画像形成装置において、前記給紙カセットの近くの用紙搬送路上での用紙のジャムの有無を検出するジャム検出手段と、当該ジャム検出手段の検出結果に基づいて前記除湿発熱体への通電を制御する通電制御手段と、を備え、前記ジャム検出手段が前記用紙のジャムの発生を検出すると、前記通電制御手段が、前記除湿発熱体への通電を遮断することにより、上記目的を達成している。
【００１３】
請求項１の場合、例えば、請求項４に記載するように、前記画像形成装置は、前記除湿発熱体の温度を検出する温度検出手段と、前記給紙カセットの引き出しを少なくとも全開の状態に至るまでの途中で阻止する阻止動作を行う引出阻止手段と、当該引出阻止手段の阻止動作を制御する引出制御手段と、をさらに備え、前記引出制御手段は、前記温度検出手段の検出温度が所定の閾値温度を超えていると、前記引出阻止手段に前記阻止動作を行わせてもよい。
【００１４】
また、例えば、請求項５に記載するように、前記画像形成装置は、所定の音声を外部出力する音声出力手段と、当該音声出力手段による音声出力を制御する音声出力制御手段と、をさらに備え、当該音声出力制御手段は、前記引出検出手段が前記給紙カセットが引き出されたことを検出し、かつ、前記温度検出手段の検出温度が前記所定の閾値温度を超えている間のみ、前記音声出力手段を連続駆動させて連続して音声を出力させてもよい。
【発明の効果】
【００１５】
本発明によれば、複数枚の用紙を収納可能で引き出し可能な給紙カセットの下方にブラケットに取り付けられて配設された除湿発熱体に通電して、当該給紙カセット内の用紙を除湿する際に、引出検出手段が、給紙カセットが引き出されたことを検出すると、通電制御手段が、除湿発熱体への通電を遮断するので、火傷に至る温度に加熱されている除湿発熱体のブラケットにユーザが接触することを未然に防止して、ユーザが火傷等を負うことを未然に防止することができ、安全性を向上させることができる。
【発明を実施するための最良の形態】
【００１６】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００１７】
図１〜図３は、本発明の画像形成装置の第１実施例を示す図であり、図１は、本発明の画像形成装置の第１実施例を適用した複合装置１の概略ブロック構成図である。
【００１８】
図１において、複合装置１は、本体筐体２内に、下方から、除湿ヒータブラケット（ブラケット）３、除湿ヒータ（除湿発熱体）４、給電遮断部５、給紙カセット６、用紙搬送部７、画像形成部８、定着部９、排紙部１０及び読取部１１等が収納されている。
【００１９】
給紙カセット６内には、各種サイズの記録紙（用紙）や各種紙種（例えば、厚紙、薄紙等）の記録紙（用紙）が複数枚収納可能であり、給紙カセット６内の記録紙は、用紙搬送部（用紙搬送路）７によって画像形成部８に１枚ずつ搬送される。なお、給紙カセット６は、図２及び図３に矢印で示すように、例えば、複合装置１の前面方向に、引き出し可能となっており、引き出されることで、記録紙の交換や新たな記録紙の補充等を行えるようになっている。
【００２０】
除湿ヒータブラケット３は、給紙カセット６の下方の位置に配置されており、除湿ヒータ４が固定されている。除湿ヒータ４は、給電遮断部５から電源が供給されることで、発熱して給紙カセット６内の記録紙全体を効率よく除湿し、また、給電遮断部５からの電源が遮断されることで、発熱が停止される。
【００２１】
なお、除湿ヒータ４は除湿ヒータブラケット３の下側に固定されているため、ユーザが除湿ヒータ４に直接接触することは防止されるが、給紙カセット６内の記録紙全体を効率よく除湿する必要があるため、除湿ヒータ４がＯＮ（オン）しているときには、除湿ヒータブラケット３の表面温度も、ユーザが触れると充分に火傷する温度に加熱される。また、除湿ヒータブラケット３が、給紙カセット２の下側に配置されているため、給紙カセット２を引き出したときにのみ、ユーザが、除湿ヒータブラケット３に接触するおそれがある。
【００２２】
読取部１１は、原稿を主走査及び副走査して、原稿の画像を読み取り、読み取った原稿の画像データを画像形成部８に送る。
【００２３】
画像形成部８は、例えば、電子写真方式の画像形成部が用いられており、電子写真方式の画像形成部では、例えば、回転駆動される感光体を中心に、画像書込部、現像部及び転写部、定着部、帯電部及びクリーニング部等が配設されている。このような画像形成部８は、帯電部で一様に帯電された感光体上に、画像書込部が読取部５からの原稿の画像データに基づいて変調した書込光を照射して、静電潜像を形成する。画像形成部８は、この静電潜像の形成された感光体に現像部からトナー（現像剤）を供給して現像し、感光体上のトナー画像を転写部と感光体との間に上記給紙カセット６から用紙搬送部７によって搬送されてきた記録紙に転写して、トナー画像の転写の完了した記録紙を定着部９に搬送する。
【００２４】
定着部９は、例えば、定着温度に加熱された加熱ローラと加熱ローラに圧接されている加圧ローラを備え、これらの加熱ローラと加圧ローラを回転させて、トナー画像の転写された記録紙を搬送しつつ加熱・加圧して定着させて、定着の完了した記録紙を図示しない排紙部１０に送り出す。
【００２５】
そして、上記給電遮断部５は、図２及び図３に示すように、外部商用電源のコンセントに挿入される電源プラグ２１から外部商用電源の供給されるＰＳＵ（Power Supply Unit ：電源供給部）２２と除湿ヒータ４を接続する電源ライン２３の間に接続されており、ＰＳＵ２２と除湿ヒータ４との間の電源ライン２３をオン／オフするスイッチ５ａを有している。スイッチ５ａは、図２及び図３に示すように、給紙カセット６の引き出し／挿入に応じて動作して、スイッチ５ａをオフ／オンさせるアーム部（引出検出手段）５ｂを備えており、図２に示すように、給紙カセット６が挿入されてアーム部５ｂが給電遮断部５方向に押されることで、スイッチ５ａがオンし、図３に示すように、給紙カセット６が引き出されて給紙カセット６がアーム部５ｂから離れてアーム部５ｂが給紙カセット６の移動方向に移動することで、スイッチ５ａがオフする。このスイッチ５ａを有する給電遮断部５は、スイッチ５ａがオン／オフすることで、ＰＳＵ２２からの電源の除湿ヒータ４への供給／遮断を行う通電制御手段として機能している。
【００２６】
次に、本実施例の作用を説明する。本実施例の複合装置１は、給紙カセット６の引き出し／挿入に応じて除湿ヒータ４への電源の供給の遮断と供給の再開を行う。
【００２７】
すなわち、複合装置１は、上述のように、給紙カセット６内の記録紙全体を効率よく除湿する必要があるため、除湿ヒータ４がＯＮ（オン）しているときには、除湿ヒータブラケット３の表面温度も、ユーザが触れると充分に火傷する温度に加熱され、また、除湿ヒータブラケット３が、給紙カセット２の下側に配置されているため、給紙カセット２を引き出したときにのみ、ユーザが、除湿ヒータブラケット３に接触するおそれがある。
【００２８】
そこで、複合装置１は、図２及び図３に示すように、ＰＳＵ２２からの電源を給電遮断部５のスイッチ５ａを介して除湿ヒータ４に供給しており、給電遮断部５は、図２に示すように、給紙カセット６が本体筐体２内に完全に挿入されている状態では、アーム部５ｂが給紙カセット６によって押されてスイッチ５ａをオンする。
【００２９】
したがって、給紙カセット６が複合装置１の本体筐体２内に挿入されているときには、スイッチ５ａがオンとなって、ＰＳＵ２２からの電源が給電遮断部５のスイッチ５ａを介して除湿ヒータ４に供給され、除湿ヒータ４の発熱によって給紙カセット６内の記録紙を除湿することができる。
【００３０】
そして、複合装置１は、図３に示すように、給紙カセット６が複合装置１の本体筐体２内から引き出されると、アーム部５ｂの給紙カセット６による付勢が解除されるため、アーム部５ｂが給紙カセット６の移動方向に移動して、このアーム部５ｂの移動に連動して、スイッチ５ａがオフとなる。
【００３１】
したがって、給紙カセット６が複合装置１の本体筐体２内から引き出されると、スイッチ５ａがオフとなって、ＰＳＵ２２からの電源が給電遮断部５のスイッチ５ａで遮断されて除湿ヒータ４へ供給が遮断され、除湿ヒータ４及び除湿ヒータブラケット３が自然冷却されて、ユーザが不用意に除湿ヒータブラケット３に接触しても、火傷等の危険を防止することができる。
【００３２】
このように、本実施例の複合装置１は、複数枚の用紙を収納可能で引き出し可能な給紙カセット６の下方に除湿ヒータブラケット３に取り付けられて配設されている除湿ヒータ４に通電して、当該給紙カセット６内の用紙を除湿する際に、アーム部５ｂが、給紙カセット６が引き出されたことを検出すると、給電遮断部５のスイッチ５ａがオフして、除湿ヒータ４への通電を遮断する。
【００３３】
したがって、火傷に至る温度に加熱されている除湿ヒータ６のブラケット３にユーザが接触することを未然に防止して、ユーザが火傷等を負うことを未然に防止することができ、安全性を向上させることができる。
【実施例２】
【００３４】
図４は、本発明の画像形成装置の第２実施例を適用した複合装置３０の給紙カセット６部分の概略ブロック構成図である。
【００３５】
なお、本実施例は、上記第１実施例の複合装置１と同様の複合装置に適用したものであり、本実施例の説明においては、上記第１実施例の複合装置１と同様の構成部分については、同一の符号を付して説明するとともに、図示しない部分についても、必要に応じて、第１実施例の説明で用いた符号をそのまま用いて説明する。
【００３６】
図４において、複合装置３０は、給紙カセット６の上部近傍に、透過型の紙有無検知部（用紙検出手段）３１が配設されており、紙有無検知部３１は、給紙カセット６内に記録紙があるか否かを検知して、検知結果をＣＰＵ（Central Processing Unit ）３２に出力する。ＣＰＵ３２は、複合装置３０の全体を制御するとともに、紙有無検知部３１の検知結果に基づいて、除湿ヒータ４への通電を制御する。また、紙有無検知部３１は、透過型の光センサであるので、給紙カセット６が引き出された場合にも紙無しのときと同じ検知結果をＣＰＵ３に出力する。
【００３７】
そして、複合装置３０は、外部商用電源のコンセントに挿入される電源プラグ２１から外部商用電源の供給されるＰＳＵ２２と除湿ヒータ４を接続する電源ライン２３の間に給電遮断部３３が接続されており、給電遮断部３３は、ＰＳＵ２２と除湿ヒータ４との間の電源ライン２３をオン／オフするスイッチ３４を有している。
【００３８】
スイッチ３４は、ＡＣ部３４ａに通電されることで、オンして、ＰＳＵ２２からの電源を除湿ヒータ４に供給し、ＡＣ部３４ａへの通電が遮断されることで、オフして、ＰＳＵ２２から除湿ヒータ４への電源の供給を遮断する。したがって、上記ＣＰＵ３２及びスイッチ３４とＡＣ部３４ａを有する給電遮断部３３は、全体として通電制御手段として機能している。
【００３９】
本実施例の複合装置３０は、透過型の紙有無検知部３１の検出結果に基づいて除湿ヒータ４への電源の供給／供給停止を行う。すなわち、給紙カセット６が挿入されていて、給紙カセット６内に記録紙が収納されているときには、紙有無検知部３１が記録紙有りを示す検出信号をＣＰＵ３２に出力し、ＣＰＵ３２は、記録紙有りの検出信号が入力されていると、給電遮断部３３のスイッチ３４のＡＣ部３４ａに通電して、スイッチ３４をオンさせ、ＰＳＵ２２の電源を除湿ヒータ４に供給する。
【００４０】
したがって、給紙カセット６が複合装置１の本体筐体２内に挿入されていて、記録紙が給紙カセット６内に収納されているときには、スイッチ３４がオンとなって、ＰＳＵ２２からの電源が給電遮断部３３のスイッチ３４を介して除湿ヒータ４に供給され、除湿ヒータ４の発熱によって給紙カセット６内の記録紙を除湿することができる。
【００４１】
そして、複合装置３０は、給紙カセット６内の記録紙がなくなると、紙有無検知部３１が記録紙無しを示す検出信号をＣＰＵ３２に出力し、ＣＰＵ３２は、記録紙無しの検出信号が入力されていると、給電遮断部３３のスイッチ３４のＡＣ部３４ａへの通電を停止して、スイッチ３４をオフさせ、ＰＳＵ２２の除湿ヒータ４への電源の供給を遮断する。
【００４２】
したがって、給紙カセット６が複合装置１の本体筐体２内に挿入されていても、給紙カセット６内の記録紙がなくなると、スイッチ３４がオフとなって、ＰＳＵ２２から除湿ヒータ４への電源の供給を給電遮断部３３のスイッチ３４で遮断し、無駄な電力の消費を防止することができる。
【００４３】
また、複合装置３０は、給紙カセット６が複合装置３０の本体筐体２内から引き出されると、紙有無検知部３１は、透過型のセンサであるため、記録紙無しを示す検出信号と同じ検出信号をＣＰＵ３２に出力し、ＣＰＵ３２は、記録紙無しの検出信号が入力されると、給電遮断部３３のスイッチ３４のＡＣ部３４ａへの通電を停止して、スイッチ３４をオフさせ、ＰＳＵ２２の除湿ヒータ４への電源の供給を遮断する。
【００４４】
したがって、給紙カセット６が複合装置１の本体筐体２内に挿入されていないときには、スイッチ３４がオフとなって、ＰＳＵ２２から除湿ヒータ４への電源の供給を給電遮断部３３のスイッチ３４で遮断し、除湿ヒータ４及び除湿ヒータブラケット３が自然冷却されて、ユーザが不用意に除湿ヒータブラケット３に接触しても、火傷等が発生する危険を防止することができる。
【００４５】
このように、本実施例の複合装置３０は、紙有無検知部３１が給紙カセット６内に用紙がないことを検出すると、ＣＰＵ３２が給電遮断部３３のスイッチ３４のＡＣ部３４ａに通電して、スイッチ３４をオフさせて、除湿ヒータ４への通電を遮断している。
【００４６】
したがって、給紙カセット６内の記録紙が無くなると、除湿ヒータ４及び除湿ヒータブラケット３が自然冷却されて、ユーザが不用意に除湿ヒータブラケット３に接触しても、火傷等が発生する危険を防止することができ、安全性を向上させることができるとともに、消費電力を削減することができる。
【実施例３】
【００４７】
図５は、本発明の画像形成装置の第３実施例を適用した複合装置４０の給紙カセット６部分の概略ブロック構成図である。
【００４８】
なお、本実施例は、上記第１実施例の複合装置１と同様の複合装置に適用したものであり、本実施例の説明においては、上記第１実施例の複合装置１と同様の構成部分については、同一の符号を付して説明するとともに、図示しない部分についても、必要に応じて、第１実施例の説明で用いた符号をそのまま用いて説明する。
【００４９】
図５において、複合装置４０は、給紙カセット６近傍に、ジャム検知部（ジャム検出手段）４１が配設されており、ジャム検知部４１は、給紙カセット６近傍の用紙搬送部７での記録紙のジャムの有無を検知して、検知結果をＣＰＵ４２に出力する。ＣＰＵ４２は、複合装置４０の全体を制御するとともに、ジャム検知部４１の検知結果に基づいて、除湿ヒータ４への通電を制御する。
【００５０】
そして、複合装置４０は、外部商用電源のコンセントに挿入される電源プラグ２１から外部商用電源の供給されるＰＳＵ２２と除湿ヒータ４を接続する電源ライン２３の間に給電遮断部４３が接続されており、給電遮断部４３は、ＰＳＵ２２と除湿ヒータ４との間の電源ライン２３をオン／オフするスイッチ４４を有している。
【００５１】
スイッチ４４は、ＡＣ部４４ａに通電されることで、オンして、ＰＳＵ２２からの電源を除湿ヒータ４に供給し、ＡＣ部４４ａへの通電が遮断されることで、オフして、ＰＳＵ２２から除湿ヒータ４への電源の供給を遮断する。したがって、上記ＣＰＵ４２及びスイッチ４４とＡＣ部４４ａを有する給電遮断部４３は、全体として通電制御手段として機能している。
【００５２】
本実施例の複合装置４０は、ジャム検知部４１の検出結果に基づいて除湿ヒータ４への電源の供給／供給停止を行う。すなわち、複合装置４０は、給紙カセット６の近傍で記録紙にジャムが発生していないときには、ジャム検知部４１がジャム無しを示す検出信号をＣＰＵ４２に出力し、ＣＰＵ４２は、ジャム無しの検出信号が入力されていると、給電遮断部４３のスイッチ４４のＡＣ部４４ａに通電して、スイッチ４４をオンさせ、ＰＳＵ２２の電源を除湿ヒータ４に供給する。
【００５３】
したがって、複合装置４０の給紙カセット６の近傍で記録紙のジャムが発生していないときには、スイッチ４４がオンとなって、ＰＳＵ２２からの電源が給電遮断部４３のスイッチ４４を介して除湿ヒータ４に供給され、除湿ヒータ４の発熱によって給紙カセット６内の記録紙を除湿することができる。
【００５４】
そして、複合装置４０は、給紙カセット６の近傍で記録紙のジャムが発生すると、ジャム検知部４１がジャム有りを示す検出信号をＣＰＵ４２に出力し、ＣＰＵ４２は、ジャム有りの検出信号が入力されると、給電遮断部４３のスイッチ４４のＡＣ部４４ａへの通電を停止して、スイッチ４４をオフさせ、ＰＳＵ２２の除湿ヒータ４への電源の供給を遮断する。
【００５５】
したがって、給紙カセット６の近傍で記録紙のジャムが発生すると、スイッチ４４がオフとなって、ＰＳＵ２２から除湿ヒータ４への電源の供給を給電遮断部４３のスイッチ４４で遮断し、無駄な電力の消費を防止することができるとともに、除湿ヒータ４及び除湿ヒータブラケット３が自然冷却されて、ジャムの発生した記録紙を取り除くために、給紙カセット６を引き出して、手操作でジャムの除去操作を行う際に、ユーザが不用意に除湿ヒータブラケット３に接触しても、火傷等が発生する危険を防止することができる。
【００５６】
このように、本実施例の複合装置４０は、ジャム検知部４１がジャム有りを検出すると、ＣＰＵ４２が給電遮断部４３のスイッチ４４のＡＣ部４４ａに通電して、スイッチ４４をオフさせて、除湿ヒータ４への通電を遮断している。
【００５７】
したがって、ジャムが発生した際に、除湿ヒータ４及び除湿ヒータブラケット３が自然冷却されて、ユーザが不用意に除湿ヒータブラケット３に接触しても、火傷等が発生する危険を防止することができ、安全性を向上させることができるとともに、消費電力を削減することができる。
【実施例４】
【００５８】
図６及び図７は、本発明の画像形成装置の第４実施例を示す図であり、図６は、本発明の画像形成装置の第４実施例を適用した複合装置５０の給紙カセット６部分の概略ブロック構成図である。
【００５９】
なお、本実施例は、上記第１実施例の複合装置１と同様の複合装置に適用したものであり、本実施例の説明においては、上記第１実施例の複合装置１と同様の構成部分については、同一の符号を付して説明するとともに、図示しない部分についても、必要に応じて、第１実施例の説明で用いた符号をそのまま用いて説明する。
【００６０】
図６において、複合装置５０は、外部商用電源のコンセントに挿入される電源プラグ２１から外部商用電源の供給されるＰＳＵ２２と除湿ヒータ４を接続する電源ライン２３の間に給電遮断部５が接続されており、給電遮断部５は、ＰＳＵ２２と除湿ヒータ４との間の電源ライン２３をオン／オフするスイッチ５ａを有している。スイッチ５ａは、給紙カセット６の引き出し／挿入に応じて動作して、スイッチ５ａをオフ／オンさせるアーム部５ｂを備えており、給紙カセット６が挿入されてアーム部５ｂが給電遮断部５方向に押されることで、スイッチ５ａがオンし、給紙カセット６が引き出されて給紙カセット６がアーム部５ｂから離れてアーム部５ｂが給紙カセット６の移動方向に移動することで、スイッチ５ａがオフする。給電遮断部５は、スイッチ５ａがオン／オフすることで、ＰＳＵ２２からの電源の除湿ヒータ４への供給／遮断を行う。
【００６１】
そして、複合装置５０は、給紙カセット６の給紙カセット６の下方の位置に図示しない除湿ヒータブラケット３が配置されており、この除湿ヒータブラケット３に除湿ヒータ４が固定されている。除湿ヒータ４は、給電遮断部５から電源が供給されることで、発熱して給紙カセット６内の記録紙全体を効率よく除湿し、また、給電遮断部５からの電源が遮断されることで、発熱が停止されて自然冷却される。
【００６２】
この除湿ヒータ４の近傍には、温度検知部（温度検出手段）５１が配置されており、温度検知部５１は、除湿ヒータ４の温度を検出して、検出温度信号をＣＰＵ５２に出力する。ＣＰＵ５２は、複合装置５０の全体を制御するとともに、温度検知部５１の検知結果である検出温度信号に基づいて、ロック制御部５３の動作を制御する。
【００６３】
ロック制御部５３は、給紙カセット６の近傍に配置されて給紙カセット６の引き出し動作をロックする給紙カセットロック部５４のロック動作／非ロック動作を制御する。上記ＣＰＵ５２及びロック制御部５３は、全体として引出制御手段として機能している。
【００６４】
この給紙カセットロック部５４は、例えば、図７（ａ）〜（ｄ）に示すように、給紙カセット６の下方に配設され、ロック制御部５３によって駆動制御されることで、ロック時に給紙カセット６方向に突出し、非ロック時に給紙カセット６から離れる方向に移動する。また、給紙カセット６の下面には、給紙カセットロック部５４に対応する位置に、被ロック部６ａが配設されており、被ロック部６ａは、給紙カセット６の引き出し方向において給紙カセットロック部５４と適切に係合し、給紙カセット６の挿入方向においては、逃げ形状となっているとともに、図７（ａ）に矢印で示すように、給紙カセット６の挿入動作時に給紙カセットロック部５４と干渉しても、挿入を可能とする程度の柔軟性を有する材質で形成されいる。これら給紙カセットロック部５４と被ロック部６ａは、全体として引出阻止手段として機能している。
【００６５】
そして、複合装置５０は、温度検知部５１からの温度データをＣＰＵ５２で監視し、ＣＰＵ５２は、温度検知部５１の検出する温度データが、ユーザが除湿ヒータブラケット３に接触しても火傷等の危険を及ぼさない所定の閾値以上であると、ロック制御部５３にロックオン信号を出力する。ロック制御部５３は、ＣＰＵ５２からロックオン信号が入力されると、図７（ｂ）に示すように、給紙カセットロック部５４を給紙カセット６方向に移動させてロック動作を行わせる。したがって、その後、図７（ｃ）に示すように、給紙カセット６の引出操作が行われると、上述のように、アーム部５ｂの給紙カセット６による付勢が解除されて、アーム部５ｂが給紙カセット６の移動方向に移動し、このアーム部５ｂの移動に連動して、スイッチ５ａがオフとなるが、給紙カセットロック部５４によってロックされているため、給紙カセット６は、途中までしか引き出すことができない。
【００６６】
また、ＣＰＵ５２は、温度検知部５１の検出する温度データが上記所定の閾値未満であると、ロック制御部５３にロックオフ信号を出力して、ロック制御部５３は、ＣＰＵ５２からロックオフ信号が入力されると、給紙カセットロック部５４を給紙カセット６から離れる方向に移動させてロック解除動作を行わせ、給紙カセット６が、図７（ｄ）に示すように、最後まで引き出せるようにロックを解除する。このとき、除湿ヒータブラケット３は、安全な温度まで下がっているため、ユーザが、不用意に除湿ヒータブラケット３に接触しても、火傷等の危険が発生することが全くない。
【００６７】
このように、本実施例の複合装置５０は、温度検知部５１の検出温度が所定の閾値温度を超えていると、ＣＰＵ５２の制御下で、ロック制御部５３が給紙カセットロック部５４に給紙カセット６をロックさせる。
【００６８】
したがって、給紙カセット６が引き出される際に、除湿ヒータ４への通電を遮断するだけでなく、除湿ヒータ４が火傷の危険のない温度等の所定温度に低下するまで、給紙カセット６の引き出しを阻止することができ、より一層安全性を向上させることができる。
【実施例５】
【００６９】
図８は、本発明の画像形成装置の第５実施例を適用した複合装置６０の給紙カセット６部分の概略ブロック構成図である。
【００７０】
なお、本実施例は、上記第１実施例の複合装置１及び第４実施例の複合装置５０と同様の複合装置に適用したものであり、本実施例の説明においては、上記第１実施例の複合装置１及び第４実施例の複合装置５０と同様の構成部分については、同一の符号を付して説明するとともに、図示しない部分についても、必要に応じて、第１実施例及び第４実施例の説明で用いた符号をそのまま用いて説明する。
【００７１】
本実施例の複合装置６０は、上記第４実施例の複合装置５０と同様の除湿ヒータ４、スイッチ５ａとアーム部５ｂを備えた給電遮断部５、給紙カセット６、電源プラグ２１、ＰＳＵ２２、温度検知部５１、ＣＰＵ５２、ロック制御部５３及び給紙カセットロック部５４を備えているとともに、音声制御部（音声出力制御手段）６１と音声出力部（音声出力手段）６２等を備えている。
【００７２】
複合装置６０は、給紙カセット６が引き出されて、スイッチ５ａがオフすると、給電遮断部５が、スイッチ５ａがオフしたことを示すスイッチオフ信号を音声制御部６１に出力する。また、ＣＰＵ５２は、上記第４実施例の場合と同様に、温度検知部５１の検出する温度データが上記所定の閾値以上であると、ロック制御部５３にロックオン信号を出力するとともに、音声制御部６１にもロックオン信号を出力し、温度検知部５１の検出する温度データが上記所定の閾値未満であると、ロック制御部５３にロックオフ信号を出力するとともに、音声制御部６１にロックオフ信号を出力する。
【００７３】
ロック制御部５３は、上記第４実施例の場合と同様に、ＣＰＵ５２からロックオン信号が入力されると、給紙カセットロック部５４を給紙カセット６方向に移動させてロック動作を行わせ、給紙カセット６が、引き出し操作が行われても、途中までしか引き出せないようにロックする。ロック制御部５３は、ＣＰＵ５２からロックオフ信号が入力されると、給紙カセットロック部５４を給紙カセット６から離れる方向に移動させてロック解除動作を行わせ、給紙カセット６が最後まで引き出せるようにロックを解除する。
【００７４】
そして、音声制御部６１は、給電遮断部５からのスイッチオフ信号及びＣＰＵ５２からのロックオン信号とロックオフ信号に基づいて音声出力部６２の駆動を制御して、音声の出力制御を行う。すなわち、音声制御部６１は、給電遮断部５から給紙カセット６が引き出されたことを示すスイッチオフ信号が入力されており、かつ、温度検知部５１の検出温度が上記所定の閾値温度以上である間のみ、音声出力部６２を連続駆動させて連続して音声を出力させる。この音声としては、例えば、ブザー音を連続的に出力しても良いし、「ただいま、除湿ヒータの温度が高いため、給紙カセットの引き出しがロックされています。しばらくお待ちください。」等の音声メッセージを連続的に出力しても良い。
【００７５】
このように、本実施例の複合装置６０は、給電遮断部５から給紙カセット６が引き出されたことを示すスイッチオフ信号が入力されており、かつ、温度検知部５１の検出温度が上記所定の閾値温度以上である間のみ、音声出力部６２から連続して音声を出力する。
【００７６】
したがって、給紙カセット６が引き出せないことによるユーザの不安を解消することができるとともに、給紙カセット６のロック解除後に、ユーザが速やかに給紙カセット６を引き出せるようにすることができ、利用性を向上させることができる。
【００７７】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【００７８】
本発明は、除湿ヒ−タの動作を制御して、火傷等の危険を適切に回避するプリンタ、複写機、複合装置等の画像形成装置に適用することができる。
【図面の簡単な説明】
【００７９】
【図１】本発明の画像形成装置の第１実施例を適用した複合装置の概略ブロック構成図。
【図２】図１の複合装置の給紙カセットが収納されている状態の給紙カセット部分の概略構成図。
【図３】図１の複合装置の給紙カセットが引き出されている状態の給紙カセット部分の概略構成図。
【図４】本発明の画像形成装置の第２実施例を適用した複合装置の給紙カセット部分の概略ブロック構成図。
【図５】本発明の画像形成装置の第３実施例を適用した複合装置の給紙カセット部分の概略ブロック構成図。
【図６】本発明の画像形成装置の第４実施例を適用した複合装置の給紙カセット部分の概略ブロック構成図。
【図７】図６の給紙カセットの各位置状態での被ロック部と給紙カセットロック部を明示する概略説明図。
【図８】本発明の画像形成装置の第５実施例を適用した複合装置の給紙カセット部分の概略ブロック構成図。
【符号の説明】
【００８０】
１  複合装置
２  本体筐体
３  除湿ヒータブラケット
４  除湿ヒータ
５  給電遮断部
５ａ  スイッチ
５ｂ  アーム部
６  給紙カセット
６ａ  被ロック部
７  用紙搬送部
８  画像形成部
９  定着部
１０  排紙部
１１  読取部
２１  電源プラグ
２２  ＰＳＵ
２３  電源ライン
３０  複合装置
３１  紙有無検知部
３２  ＣＰＵ
３３  給電遮断部
３４  スイッチ
３４ａ  ＡＣ部
４０  複合装置
４１  ジャム検知部
４２  ＣＰＵ
４３  給電遮断部
４４  スイッチ
４４ａ  ＡＣ部
５０  複合装置
５１  温度検知部
５２  ＣＰＵ
５３  ロック制御部
５４  給紙カセットロック部
６０  複合装置
６１  音声制御部
６２  音声出力部
【図１】
2006290605.tif 000003
【図２】
2006290605.tif 000004
【図３】
2006290605.tif 000005
【図４】
2006290605.tif 000006
【図５】
2006290605.tif 000007
【図６】
2006290605.tif 000008
【図７】
2006290605.tif 000009
【図８】
2006290605.tif 000010